(57)【特許請求の範囲】
【請求項１】
略平行に配置される一対の回路基板のそれぞれの対向面上にペグにより補強されて実装され、前記一対の回路基板間を接続する相互に嵌合可能な一対のコネクタよりなり、該一対のコネクタの一方のコネクタの前記ペグは接触タブを有し、他方のコネクタの前記ペグは前記一対のコネクタが嵌合するとき前記接触タブと接触する接触ばね部を有し、該接触ばね部は前記他方のコネクタのハウジングの高さ方向に貫通する空間内に撓み可能にして配置されると共に、前記接触タブは前記一方のコネクタのハウジングの高さ方向に貫通する空間内に配置される電気コネクタにおいて、
前記接触ばね部は断面Ｕ字型に形成され、前記接触ばね部の先端部および前記接触タブの先端部が、前記一対のコネクタの嵌合時に、それぞれ相手方の対応する前記空間内に嵌入するよう構成されてなることを特徴とする電気コネクタ。
【発明の詳細な説明】
【０００１】
【発明の属する技術分野】
本発明は電気コネクタ、特に一対のプリント基板上にソルダペグを介して接続固定される相互に嵌合可能な一対のコネクタよりなる基板実装型電気コネクタに関するものである。
【０００２】
【従来の技術】
略平行に配置される一対の回路基板のそれぞれの対向面上に実装され、両回路基板間を接続する相互に嵌合可能な一対のコネクタよりなる基板実装型電気コネクタが知られている。このような基板実装型のコネクタにおいては、電気機器の小型化に伴ってコネクタ自体の小型化が進み、それに応じて基板へのコネクタの固定強度の向上が望まれる。そのため、このような基板実装型コネクタにおいては、例えば特開平7-240246号に見られるように、ハウジング側壁部に設けた補強用の表面実装型ソルダペグにより、コネクタを基板に固定するようにしたものが知られている。また、特開平7- 94241号に見られるように、コネクタハウジングの側方に接地用のコンタクトを設けたものも知られている。
【０００３】
【発明が解決しようとする課題】
このような小型化の進んだ基板実装型のコネクタにおいては、設計上の自由度を増すため、タブ側のソルダペグとリセプタクル側のソルダペグとの間を接地用に電気的に接続することが望まれることがある。すなわち、タブあるいはリセプタクルのいずれの側のソルダペグからでも接地ができるように両ソルダペグを互いに電気的に接続することが望まれる。
【０００４】
本発明は、この要望に応え、小型の形状を維持しつつ、タブあるいはリセプタクルのいずれの側のソルダペグからでも接地ができるよう両ソルダペグの電気的接続を実現する基板実装型コネクタを提供することを目的とするものである。
【０００５】
【課題を解決するための手段】
本発明による電気コネクタは、上記のような基板実装型の電気コネクタにおいて、一対のコネクタの一方のコネクタのペグが接触タブを有し、他方のコネクタのペグが一対のコネクタが嵌合するときその接触タブと接触する接触ばね部を有し、この接触ばね部が他方のコネクタのハウジングに高さ方向に貫通する空間内に撓み可能にして配置されることを特徴とするものである。
【０００６】
なお、前記貫通する空間には前記接触ばね部を受容する傾斜面を形成することが望ましい。
【０００７】
また、また接触ばね部には、コネクタ嵌合時に接触タブを接触位置へ案内する案内面を形成することが望ましい。
【０００８】
リセプタクル側の前記ペグの具体的形状としては、ハウジングの溝に嵌合してペグ全体を支持するブリッジ部と、その両端に形成された半田付用の実装部と、ブリッジ中央に断面Ｕ字型に形成された接触ばね部と、該接触ばね部と前記実装部との間に形成された一対の圧入部とからなるものとすることができる。また、タブ側の前記ペグの具体的形状としては、ハウジングの溝に嵌合してペグ全体を支持するブリッジ部と、その両端に形成された半田付用の実装部と、ブリッジ中央に断面Ｕ字型に形成された接触タブと、該接触タブと前記実装部との間に形成された一対の圧入部とからなるものとすることができる。
【０００９】
【発明の作用と効果】
本発明による電気コネクタは、一対のコネクタの一方のコネクタのペグが接触タブを有し、他方のコネクタのペグがコネクタ嵌合時に前記接触タブと接触する接触ばね部を有し、この接触ばね部が他方のコネクタのハウジングに高さ方向に貫通する空間内に撓み可能にして配置されているため、全体として背を低くして小型に形成することができるとともに、タブあるいはリセプタクルのいずれの側のソルダペグからでも接地が可能になり、設計の自由度を増すことができる。
【００１０】
なお、前記貫通する空間に傾斜面を形成することにより前記接触ばね部の塑性変形を防ぐことができる。また接触ばね部に、コネクタ嵌合時に接触タブを接触位置へ案内する案内面を形成することにより、コネクタの嵌合と接触ばね部と接触タブとの接触位置への移行をスムーズにすることができる。
【００１１】
【発明の実施の形態】
以下本発明による電気コネクタの実施の形態を図面に基づいて説明する。図１は、本発明の一実施の形態による電気コネクタのリセプタクルアセンブリを示す平面図、図２はその正面図、図３はその側面図、図４は図２のＩＶ−ＩＶ線断面図、図５は上記実施の形態による電気コネクタのタブアセンブリを示す平面図、図６はその正面図、図７はその側面図、図８は図６のＶIII −ＶIII 線断面図、図９は上記リセプタクルハウジングの一部斜視図、図10は上記タブハウジングの一部斜視図、図11はリセプタクルハウジングに嵌合される接触ばね部を有するソルダペグの斜視図、図12はタブハウジングに嵌合される接触タブを有するソルダペグの斜視図、図13はリセプタクルアセンブリとタブアセンブリとを嵌合させて接触ばね部と接触タブとを接触させる直前の状態を示す一部拡大断面図、図14はリセプタクルアセンブリとタブアセンブリとを嵌合させて、接触ばね部と接触タブとを接触させた状態を示す一部拡大断面図である。
【００１２】
図１〜４に示すように、リセプタクルコネクタのアセンブリ10（以下、単にリセプタクルアセンブリという）のハウジング12には、多数のコンタクト14が並列配置され、ハウジング12の両側端部に形成されたソルダペグ保持溝12a,12a に左右一対のソルダペグ16,16 が嵌着されている。
【００１３】
図９にリセプタクルアセンブリ10のハウジング12の側端部に形成されたソルダペグ保持溝12a とソルダペグ16を保持する貫通空間12b を拡大して示す。ソルダペグ16は、前記ソルダペグ保持溝12a とこの貫通空間12b の中に、後に詳述するように嵌着され保持される。
【００１４】
図５〜８に示すように、タブコネクタのアセンブリ20（以下、単にタブアセンブリという）のハウジング22には、多数のコンタクト24が並列配置され、ハウジング22の両側端部に形成されたソルダペグ保持溝22a,22a に左右一対のソルダペグ26,26 が嵌着されている。
【００１５】
図10にタブアセンブリ20のハウジング22の側端部に形成されたソルダペグ保持溝22a とソルダペグ26を保持する貫通空間22b を拡大して示す。ソルダペグ26は、前記ソルダペグ保持溝22a とこの貫通空間22b の中に、後に詳述するように嵌着され保持される。
【００１６】
図11にリセプタクル側ソルダペグ16を、図12にタブ側ソルダペグ26を、それぞれ拡大して示す。また図13,14 に、リセプタクルアセンブリ10とタブアセンブリ20とを嵌合させ、リセプタクル側ソルダペグ16とタブ側ソルダペグ26を接続した状態を拡大して示す。
【００１７】
図11に示すように、リセプタクル側ソルダペグ16は、ハウジング12の溝12a に嵌合してペグ全体を支持するブリッジ部16a と、その両端に形成された半田付用の実装部16b,16b と、ブリッジ中央に断面Ｕ字型に形成された接触ばね部16c と、接触ばね部16c と前記実装部16b,16b との間に形成された一対の圧入部16d,16d とからなっている。また、タブ側のソルダペグ26も、ハウジング22の溝22a に嵌合してペグ全体を支持するブリッジ部26a と、その両端に形成された半田付用の実装部26b,26b と、ブリッジ中央に断面Ｕ字型に形成された接触タブ26c と、接触タブ26c と前記実装部26b,26b との間に形成された一対の圧入部26d,26d とからなっている。
【００１８】
図11に示すリセプタクル側ソルダペグ16は、図９に示すハウジング12の溝12a に、前記一対の圧入部16d,16d が圧入されるようにして嵌着され、そのとき前記接触ばね部16c はハウジング12の前記貫通空間12b に撓み可能な状態で収容される。
【００１９】
一方、図12に示すタブ側ソルダペグ26は、図10に示すハウジング22の溝22a に、前記一対の圧入部26d,26d が圧入されるようにして嵌着され、そのとき前記接触タブ26c はハウジング22の前記貫通空間22b に収容される。
【００２０】
リセプタクル側ソルダペグ16の接触ばね部16c は、図13に示すように両ハウジング12,22 が嵌合するときタブ側ソルダペグ26の接触タブ26c と接触し、図14に示すように内側へ撓んで、タブ側ソルダペグ26の接触タブ26c と十分に接触した状態でタブ側アセンブリのハウジング22の前記貫通空間22b 内に嵌入する。リセプタクル側ソルダペグ16の接触ばね部16c は、リセプタクルハウジング12の前記貫通空間12b 内に配置されるように（嵌合時にはタブ側アセンブリのハウジング22の前記貫通空間22b 内にも嵌入している）したため、コネクタ全体として背を低くして小型に形成することができ、また、両ソルダペグ16,26 は電気的に接続されるので、タブあるいはリセプタクルのいずれの側のソルダペグからでも接地が可能になり、設計の自由度を増すことができる。
【００２１】
なお、前記貫通する空間12b には前記接触ばね部16c を受容する傾斜面12c が形成され、これによりコネクタ嵌合時の経時による接触ばね部16c の塑性変形を防ぐようにしている。また接触ばね部16c には、コネクタ嵌合時に接触タブ26c を接触位置へ案内する案内面26c'を形成して、コネクタの嵌合と接触ばね部16c と接触タブ26c との接触位置への移行をスムーズにしている。
【００２２】
なお、以上説明した実施の形態は、本発明の思想のもとに構成された電気コネクタの一例を示すにすぎないものであり、例えばリセプタクル側のソルダペグ16c とタブ側のソルダペグ26c とを逆にしてもよいし、コネクタのハウジング、ソルダペグ等の形状は、本発明の効果を損なうことなく種々の変更が可能であることは言うまでもない。
【図面の簡単な説明】
【図１】本発明の一実施の形態による電気コネクタのリセプタクルアセンブリを示す平面図
【図２】そのリセプタクルアセンブリの正面図
【図３】そのリセプタクルアセンブリの側面図
【図４】そのリセプタクルアセンブリの図２のＩＶ−ＩＶ線断面図
【図５】本発明の上記実施の形態による電気コネクタのタブアセンブリを示す平面図
【図６】そのタブアセンブリの正面図
【図７】そのタブアセンブリの側面図
【図８】そのタブアセンブリの図６のＶIII −ＶIII 線断面図
【図９】そのリセプタクルアセンブリの一部斜視図
【図１０】そのタブアセンブリの一部斜視図
【図１１】リセプタクルアセンブリに嵌合される接触ばね部を有するソルダペグの斜視図
【図１２】タブアセンブリに嵌合される接触タブを有するソルダペグの斜視図
【図１３】リセプタクルアセンブリとタブアセンブリとを嵌合させて、接触ばね部と接触タブとを接触させる直前の状態を示す一部拡大断面図
【図１４】リセプタクルアセンブリとタブアセンブリとを嵌合させて、接触ばね部と接触タブとを接触させた状態を示す一部拡大断面図
【符号の説明】
10  リセプタクルアセンブリ
12  ハウジング
12a ソルダペグ保持溝
12b 貫通空間
14  コンタクト
16  リセプタクル側ソルダペグ
16a リセプタクル側ソルダペグ16のブリッジ部
16b 半田付用の実装部
16c 接触ばね部
16d 圧入部
20  タブアセンブリ
22  ハウジング
22a ソルダペグ保持溝
22b 貫通空間
24  コンタクト
26  タブ側ソルダペグ
26a タブ側ソルダペグ26のブリッジ部
26b 半田付用の実装部
26c 接触タブ
26d 圧入部
26c' 接触ばね部16c の案内面
【図１】
0003705866.tif 000002
【図２】
0003705866.tif 000003
【図３】
0003705866.tif 000004
【図４】
0003705866.tif 000005
【図５】
0003705866.tif 000006
【図６】
0003705866.tif 000007
【図７】
0003705866.tif 000008
【図８】
0003705866.tif 000009
【図９】
0003705866.tif 000010
【図１０】
0003705866.tif 000011
【図１１】
0003705866.tif 000012
【図１２】
0003705866.tif 000013
【図１３】
0003705866.tif 000014
【図１４】
0003705866.tif 000015